(57)【要約】【課題】真空配管にピンホールが生じた際に、そのピンホールが生じた箇所を簡易迅速に特定することが可能な真空配管ピンホール検出方法を提供する。【解決手段】予め、ピンホールの孔径（ｄ）とインリーク量（Ｖ）との関係式（１）、及びピンホールの孔径（ｄ）と当該ピンホールから発せられる音に特有の周波数帯域との関係（２）を求めておき、真空配管１にピンホール１０が実際に生じた際には、ピンホール１０を介して真空配管１の外部から内部へ流れ込む外気のインリーク量を計測し、その計測値から関係式（１）に基づいてピンホール１０の孔径を算出するとともに、その算出値から関係（２）に基づいてピンホール１０から発せられる音に特有の周波数帯域を算定し、算定された特有の周波数帯域を有する音が発せられる箇所を音響装置１００によって真空配管１の壁面領域のなかから特定し、特定されたその箇所にピンホール１０が生じていると判定する。【選択図】図１
2010169626.tif 000002
【特許請求の範囲】
【請求項１】
真空配管にピンホールが生じた際に、そのピンホールが生じた箇所を特定するための真空配管ピンホール検出方法であって、
真空配管に生じたピンホールを検出する前に、予め、同一の真空配管を複数用意して各真空管の同一箇所にそれぞれ１箇所ずつ孔径の異なるピンホールを設けて、各ピンホールを介して当該真空配管の外部から内部へ流れ込む外気のインリーク量、及びその際に各ピンホールから発せられる音の周波数をそれぞれ計測することにより、当該真空配管に設けたピンホールの孔径と前記インリーク量との関係式（１）、及び当該ピンホールの孔径と前記音に特有の周波数帯域との関係（２）を求めておき、
前記真空配管にピンホールが実際に生じた際には、そのピンホールを介して当該真空配管の外部から内部へ流れ込む外気のインリーク量を計測し、その計測値から前記関係式（１）に基づいて当該真空配管に生じたピンホールの孔径を算出するとともに、その算出値から前記関係（２）に基づいて当該ピンホールから発せられる音に特有の周波数帯域を算定し、算定された特有の周波数帯域を有する音が発せられる箇所を音響装置によって前記真空配管の壁面領域のなかから特定し、特定されたその箇所にピンホールが生じていると判定することを特徴とする真空配管ピンホール検出方法。
【請求項２】
真空配管にピンホールが生じた際に、そのピンホールが生じた箇所を特定するための真空配管ピンホール検出方法であって、
真空配管に生じたピンホールを検出する前に、予め、同一の真空配管を複数用意して各真空管の同一箇所にそれぞれ１箇所ずつ孔径の異なるピンホールを設けて、各ピンホールを介して当該真空配管の外部から内部へ流れ込む外気のインリーク量、及びその際に各ピンホールから発せられる音の周波数をそれぞれ計測することにより、当該真空配管に設けたピンホールの孔径と前記インリーク量との関係式（１）、及び当該ピンホールの孔径と前記音に特有の周波数帯域との関係（２）を求めて、前記インリーク量と前記音に特有の周波数帯域との関係（３）を求めておき、
前記真空配管にピンホールが実際に生じた際には、そのピンホールを介して当該真空配管の外部から内部へ流れ込む外気のインリーク量を計測し、その計測値から前記関係（３）に基づいて当該ピンホールから発せられる音に特有の周波数帯域を算定し、算定された特有の周波数帯域を有する音が発せられる箇所を前記真空配管の壁面領域のなかから特定し、特定されたその箇所にピンホールが生じていると判定することを特徴とする真空配管ピンホール検出方法。
【請求項３】
請求項１又は２において、
前記真空配管は、発電所の復水器に接続されていることを特徴とする真空配管ピンホール検出方法。
【発明の詳細な説明】
【技術分野】
【０００１】
本発明は、真空配管にピンホールが生じた際に、そのピンホールが生じた箇所を特定するための真空配管ピンホール検出方法に関する。
【背景技術】
【０００２】
真空配管は、その内部が著しく減圧された状態にある。そのため、真空配管は、一般の配管と比べて、減肉が起こりやすく、ピンホールが生じやすい。そして、真空配管にピンホールが生じると、真空配管の内部が真空状態に保持されず、その結果、各種の支障が生じるおそれがある。そのため、真空配管にピンホールが生じた時には、ピンホールが生じた箇所を特定し、その箇所を修復しておく必要がある。そこで、従来より、ピンホールが生じた箇所を特定するために、各種の技術が開発されている（例えば、特許文献１参照）。
【先行技術文献】
【特許文献】
【０００３】
【特許文献１】特開２００４−３０１５９４号公報
【発明の概要】
【発明が解決しようとする課題】
【０００４】
しかしながら、これらの従来技術にあっては、真空配管にピンホールが生じた際に、そのピンホールが真空配管のどの箇所に生じたのか、すなわち、ピンホールが生じた箇所を簡易迅速に特定することが困難であった。
【０００５】
特に、発電所の復水器に接続された真空管においては、このような問題が顕著であった。この問題について具体的に説明すると、次の通りである。すなわち、発電所（例えば、火力発電所や原子力発電所など）は、水を加熱して水蒸気を生じさせ、この水蒸気の圧力によりタービンを回転させて発電を行う設備を備えており、さらに、この設備には、タービンを回転させる際に使用した水蒸気を水に戻すための復水器が設けられている。そして、この復水器内の水と水蒸気との圧力差を増大させてタービンの回転効率を向上させるために、復水器の内部は、真空状態に保持されている。また、復水器の内部を真空状態に保持するために、多数の真空配管が接続されている。このように、発電所の復水器には、多数の真空配管が接続されており、しかも、これらの真空配管は、一般の真空配管と比べて、口径が大きく、管長が長い。そのため、真空配管にピンホールが生じた際に、そのピンホールが生じた箇所を特定するには、多大な労力と時間を要していたのである。
【０００６】
本発明は、このような従来技術の問題に鑑みてなされたものであり、真空配管（例えば、発電所の復水器に接続された真空配管）にピンホールが生じた際に、そのピンホールが生じた箇所を簡易迅速に特定することが可能な真空配管ピンホール検出方法を提供することを目的とする。
【課題を解決するための手段】
【０００７】
上記課題を解決するために、本発明は、真空配管にピンホールが生じた際に、そのピンホールが生じた箇所を特定するための真空配管ピンホール検出方法であって、真空配管に生じたピンホールを検出する前に、予め、同一の真空配管を複数用意して各真空管の同一箇所にそれぞれ１箇所ずつ孔径の異なるピンホールを設けて、各ピンホールを介して当該真空配管の外部から内部へ流れ込む外気のインリーク量、及びその際に各ピンホールから発せられる音の周波数をそれぞれ計測することにより、当該真空配管に設けたピンホールの孔径と前記インリーク量との関係式（１）、及び当該ピンホールの孔径と前記音に特有の周波数帯域との関係（２）を求めておき、前記真空配管にピンホールが実際に生じた際には、そのピンホールを介して当該真空配管の外部から内部へ流れ込む外気のインリーク量を計測し、その計測値から前記関係式（１）に基づいて当該真空配管に生じたピンホールの孔径を算出するとともに、その算出値から前記関係（２）に基づいて当該ピンホールから発せられる音に特有の周波数帯域を算定し、算定された特有の周波数帯域を有する音が発せられる箇所を音響装置によって前記真空配管の壁面領域のなかから特定し、特定されたその箇所にピンホールが生じていると判定することを特徴とする。
【０００８】
また、本発明は、真空配管にピンホールが生じた際に、そのピンホールが生じた箇所を特定するための真空配管ピンホール検出方法であって、真空配管に生じたピンホールを検出する前に、予め、同一の真空配管を複数用意して各真空管の同一箇所にそれぞれ１箇所ずつ孔径の異なるピンホールを設けて、各ピンホールを介して当該真空配管の外部から内部へ流れ込む外気のインリーク量、及びその際に各ピンホールから発せられる音の周波数をそれぞれ計測することにより、当該真空配管に設けたピンホールの孔径と前記インリーク量との関係式（１）、及び当該ピンホールの孔径と前記音に特有の周波数帯域との関係（２）を求めて、前記インリーク量と前記音に特有の周波数帯域との関係（３）を求めておき、前記真空配管にピンホールが実際に生じた際には、そのピンホールを介して当該真空配管の外部から内部へ流れ込む外気のインリーク量を計測し、その計測値から前記関係（３）に基づいて当該ピンホールから発せられる音に特有の周波数帯域を算定し、算定された特有の周波数帯域を有する音が発せられる箇所を前記真空配管の壁面領域のなかから特定し、特定されたその箇所にピンホールが生じていると判定することを特徴とする。
【０００９】
また、本発明において、前記真空配管は、発電所の復水器に接続されていることを特徴とする。
【発明の効果】
【００１０】
本発明によれば、真空配管にピンホールが生じた際に、そのピンホールが生じた箇所を簡易迅速に特定することが可能となる。
【図面の簡単な説明】
【００１１】
【図１】音響装置を用いて真空配管に生じたピンホールを検出するときの様子を示す模式図である。
【図２】ピンホールの孔径（ｄ）とインリーク量（Ｖ）との関係の一例を示すグラフ。
【発明を実施するための形態】
【００１２】
以下、図１及び図２を参照しながら、本発明の実施形態について説明する。  
図１は音響装置を用いて真空配管に生じたピンホールを検出するときの様子を示す模式図、図２はピンホールの孔径とインリーク量との関係を示すグラフである。
【００１３】
＜関係式（１）、及び関係（２）を求める手順＞
まず、本発明の実施形態にあっては、発電所の復水器（図示せず）に接続された真空配管１に生じたピンホール１０を検出する（図１参照）前に、予め、同一の真空配管を複数用意して各真空管の同一箇所にそれぞれ１箇所ずつ孔径の異なるピンホールを設けて、各ピンホールを介して当該真空配管の外部から内部へ流れ込む外気のインリーク量、及びその際に各ピンホールから発せられる音の周波数をそれぞれ計測する。そして、ピンホールの孔径（ｄ）とインリーク量（Ｖ）との関係式（１）（図２参照）、及び当該ピンホールの孔径（ｄ）と当該ピンホールから発せられる音に特有の周波数帯域（Ｈ）との関係（２）（図示せず）を求めておく。例えば、図２に示す関係式（１）、すなわち、ピンホールの孔径（ｄ）とインリーク量（Ｖ）との関係式（１）は、次のような関係にある。  
2010169626.tif 000003
但し、
γ：１．２９ｋｇ／Ｎｍ３（空気比重）
ｐ：１ｋｇ／ｃｍ２（大気圧）
ｇ：９．８m／ｓ２
【００１４】
＜実際に生じたピンホールの箇所を特定する手順＞
そして、真空配管１にピンホール１０が実際に生じた際には、そのピンホール１０を介して真空配管１の外部から内部へ流れ込む外気（風）のインリーク量を所定の計測器（不図示）を用いて計測する。
【００１５】
次に、その計測値から関係式（１）に基づいて真空配管１に生じたピンホール１０の孔径を算出する。例えば、図２示した関係式（１）のグラフより、インリーク量（Ｖ）の計測値が１０ｍ３／ｈのときには、真空配管１に生じたピンホール１０の孔径（ｄ）は３．０ｍｍと算出されることとなる。
【００１６】
続いて、その算出値から関係（２）に基づいてピンホール１０から発せられる音に特有の周波数帯域（Ｈ）を算定する。そして、算定された特有の周波数帯域（Ｈ）を有する音が発せられる箇所を音響装置１００などによって真空配管１の壁面領域のなかから特定し、特定されたその箇所にピンホール１０が生じていると判定する。このようにして、ピンホール１０が実際に生じた箇所をも特定することが可能となる。
【００１７】
以上の通り、本発明の実施形態によれば、真空配管１にピンホール１０が生じた際に、ピンホール１０の孔径（大きさ）を特定し得るだけでなく、そのピンホール１０が実際に生じた箇所（場所）を簡易迅速に特定することもできる。
【００１８】
とりわけ、真空配管が発電所の復水器に接続されたものである場合には、ピンホール１０が実際に生じた箇所（場所）を簡易迅速に特定することが可能となり、より優れた効果を奏することとなる。すなわち、発電所の復水器に接続された真空配管１は、一般の真空配管と比べて、口径が大きく、管長が長いため、真空配管１にピンホール１０が生じた際に、そのピンホール１０が生じた箇所を特定するには、多大な労力と時間を要することとなる。しかし、このような場合であっても、本発明を適用することにより、ピンホール１０が実際に生じた箇所（場所）を、多大な労力と時間を要することなく、簡易迅速に特定することができる。
【００１９】
＜その他の実施形態＞
以上の説明は、本発明の理解を容易にするためのものであり、本発明を限定するものではない。本発明は、その趣旨、目的を逸脱することなく、変更、改良され得るとともに、本発明にはその等価物が含まれることは勿論である。
【００２０】
例えば、本実施形態の説明では、関係式（１）と関係（２）を利用しており、具体的には、まず、インリーク量（Ｖ）の計測値から、関係式（１）を用いて、ピンホール１０の孔径（ｄ）の算定値を導いた上で、次に、ピンホール１０の孔径（ｄ）の算定値から、関係（２）を用いて、ピンホール１０から発せられる音に特有の周波数帯域（Ｈ）を算定することとしている（すなわち、インリーク量（Ｖ）の計測→ピンホールの孔径（ｄ）の算定→ピンホール１０から発せられる音に特有の周波数帯域（Ｈ）の算定）。
【００２１】
しかし、本発明は、このような実施形態に限定されるものではなく、予め、関係式（１）及び関係（２）から関係（３）を求めておき、この関係（３）を利用することとしてもよく、具体的には、インリーク量（Ｖ）の計測値から、関係（３）を用いて、直接に、ピンホール１０から発せられる音に特有の周波数帯域（Ｈ）を算定することとしてもよい。
【００２２】
このように、関係（３）を利用する場合には、ピンホール１０の孔径（ｄ）の算定値を導くことなく、インリーク量（Ｖ）の計測値から、直接に、ピンホール１０から発せられる音に特有の周波数帯域（Ｈ）を算定することが可能となる（すなわち、インリーク量（Ｖ）の計測→ピンホール１０から発せられる音に特有の周波数帯域（Ｈ）の算定）。
【００２３】
従って、真空配管１にピンホール１０が生じた際に、関係（３）を利用する場合には、関係式（１）と関係（２）を利用する場合よりも、ピンホール１０が生じた箇所をよりいっそう簡易迅速に特定することができる。
【符号の説明】
【００２４】
１  真空配管
１０  ピンホール
１００  音響装置
【図２】
2010169626.tif 000004
【図１】
2010169626.tif 000005